【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ＪＶＥＴイントラ予測のための動画コーディング方法であって、
固有のイントラ予測コーディングモードのセットを規定すること、
前記固有のイントラ予測コーディングモードのセットから固有のＭＰＭイントラ予測コーディングモードのサブセットをメモリにおいて特定してインスタンス化すること、
前記固有のＭＰＭイントラ予測コーディングモードのサブセット以外の前記固有のイントラ予測コーディングモードのセットから、選択された固有のイントラ予測コーディングモードのサブセットをメモリにおいて特定してインスタンス化すること、
前記固有のＭＰＭイントラ予測コーディングモードのサブセット以外であり且つ前記選択された固有のイントラ予測コーディングモードのサブセット以外の前記固有のイントラ予測コーディングモードのセットから、非選択の固有のイントラ予測コーディングモードのサブセットをメモリにおいて特定してインスタンス化すること、
truncated unary二値化を使用して、前記固有のＭＰＭイントラ予測コーディングモードのサブセットをコーディングすること、を備える動画コーディング方法。
【請求項２】
前記ＭＰＭイントラ予測コーディングモードのサブセットは、６つ未満のＭＰＭイントラ予測コーディングモードのサブセットである、請求項１に記載の動画コーディング方法。
【請求項３】
前記選択された固有のイントラ予測コーディングモードのサブセットは、１６個のイントラ予測コーディングモードのサブセットである、請求項２に記載の動画コーディング方法。
【請求項４】
前記固有のイントラ予測コーディングモードのセットは、６７個のイントラ予測コーディングモードのセットである、請求項３に記載の動画コーディング方法。
【請求項５】
前記ＭＰＭイントラ予測コーディングモードのサブセットは、６つよりも多いＭＰＭイントラ予測コーディングモードのサブセットである、請求項１に記載の動画コーディング方法。
【請求項６】
前記選択された固有のイントラ予測コーディングモードのサブセットは、１６個のイントラ予測コーディングモードのサブセットである、請求項５に記載の動画コーディング方法。
【請求項７】
前記固有のイントラ予測コーディングモードのセットは、６７個のイントラ予測コーディングモードのセットである、請求項６に記載の動画コーディング方法。
【請求項８】
前記固有のイントラ予測コーディングモードのセットは、６７個のイントラ予測コーディングモードのセットである、請求項１に記載の動画コーディング方法。
【請求項９】
前記ＭＰＭイントラ予測コーディングモードのサブセットは、６つよりも多いＭＰＭイントラ予測コーディングモードのサブセットである、請求項８に記載の動画コーディング方法。
【請求項１０】
前記選択された固有のイントラ予測コーディングモードのサブセットは、１６個のイントラ予測コーディングモードのサブセットである、請求項２に記載の動画コーディング方法。
【請求項１１】
前記選択された固有のイントラ予測コーディングモードのサブセットは、４ビットの固定長コードを使用して符号化される、請求項１０に記載の動画コーディング方法。
【請求項１２】
前記固有の非選択のイントラ予測コーディングモードのサブセットは、truncatedバイナリコーディングを使用して符号化される、請求項１１に記載の動画コーディング方法。
【請求項１３】
前記ＭＰＭイントラ予測コーディングモードのサブセットは、５つのＭＰＭイントラ予測コーディングモードのサブセットであり、
前記選択された固有のイントラ予測コーディングモードのサブセットは、１６個のイントラ予測コーディングモードのサブセットであり、４ビットの固定長コードを用いて符号化され、前記非選択の固有のイントラ予測コーディングモードのサブセットは、４６個の非選択のイントラコーディングモードのサブセットであり、truncatedバイナリコーディングを用いて符号化される、請求項１に記載の動画コーディング方法。
【請求項１４】
ＪＶＥＴイントラ予測のための動画コーディングシステムであって、
６７個の固有のイントラ予測コーディングモードのセットをメモリにおいてインスタンス化すること、
前記固有のイントラ予測コーディングモードのセットから固有のＭＰＭイントラ予測コーディングモードのサブセットをメモリにおいてインスタンス化すること、
前記固有のＭＰＭイントラ予測コーディングモードのサブセット以外の前記固有のイントラ予測コーディングモードのセットから、１６個の選択された固有のイントラ予測コーディングモードのサブセットをメモリにおいてインスタンス化すること、
前記固有のＭＰＭイントラ予測コーディングモードのサブセット以外であり且つ前記選択された固有のイントラ予測コーディングモードのサブセット以外の前記固有のイントラ予測コーディングモードのセットから、非選択の固有のイントラ予測コーディングモードのサブセットをメモリにおいてインスタンス化すること、
truncated unary二値化を用いて、前記固有のＭＰＭイントラ予測コーディングモードのサブセットを符号化すること、
４ビットの固定長コードを用いて、前記１６個の選択された固有のイントラ予測コーディングモードのサブセットを符号化すること、を備える動画コーディングシステム。
【請求項１５】
前記固有のＭＰＭイントラ予測コーディングモードのサブセットは、５つ以下のＭＰＭイントラ予測コーディングモードのサブセットである、請求項１４に記載の動画コーディングシステム。
【請求項１６】
前記固有のＭＰＭイントラ予測コーディングモードのサブセットは、５つのＭＰＭイントラ予測コーディングモードのサブセットである、請求項１４に記載の動画コーディングシステム。
【請求項１７】
前記非選択の固有のイントラ予測コーディングモードのサブセットは、４６個のＭＰＭイントラ予測コーディングモードのサブセットである、請求項１６に記載の動画コーディングシステム。
【請求項１８】
前記固有のＭＰＭイントラ予測コーディングモードのサブセットは、４つのＭＰＭイントラ予測コーディングモードのサブセットである、請求項１４に記載の動画コーディングシステム。
【請求項１９】
前記非選択の固有のイントラ予測コーディングモードのサブセットは、４７個のＭＰＭイントラ予測コーディングモードのサブセットである、請求項１８に記載の動画コーディングシステム。
【請求項２０】
動画データを復号化する方法であって、
（ａ）前記動画データの現在のブロックに対する複数の最確モード（ＭＰＭ）を決定すること、
（ｂ）ビットストリームから、前記現在のブロックを予測するためのイントラモードが前記複数のＭＰＭのうちの１つであるかどうかを示す合計１ビットを含むＭＰＭフラグを導出すること、
（ｃ）前記ＭＰＭフラグが、前記現在のブロックを予測するための前記イントラモードが前記複数のＭＰＭのうちの１つであることを示す場合、前記複数のＭＰＭのうちの１つの前記ビットストリームから復号化されたＭＰＭインデックスに基づいて、前記現在のブロックのイントラモードを選択すること、
（ｄ）前記ＭＰＭフラグが、前記現在のブロックを予測するための前記イントラモードが前記複数のＭＰＭのうちの１つではないことを示す場合、前記複数の最確モード（ＭＰＭ）に含まれるいかなるＭＰＭも含まない複数の非ＭＰＭを使用して、前記現在のブロックのイントラモードを決定すること、
（ｅ）前記複数の非ＭＰＭのうちの対応する１つのための前記ビットストリームから復号化された非ＭＰＭインデックスに基づいて前記現在のブロックのイントラモードを選択することであって、非ＭＰＭの特定のグループの選択は、（ｉ）前記非ＭＰＭのグループのビットの総数に、（ｉｉ）前記ＭＰＭフラグのための１ビットを加え、（ｉｉｉ）１ビットを加えたものよりも２ビット少ないビットの数に基づく、前記現在のブロックのイントラモードを選択すること、を備える、動画データを復号化する方法。
【請求項２１】
前記複数の非ＭＰＭを使用して前記現在のブロックを予測するための前記イントラモードを決定することは、
（ｉ）複数の第１の非ＭＰＭを含む第１の非ＭＰＭグループと、複数の第２の非ＭＰＭを含む第２の非ＭＰＭグループとに分割された前記複数の非ＭＰＭの非ＭＰＭリストを決定することであって、前記第１の非ＭＰＭは、前記複数のＭＰＭおよび前記複数の第２のＭＰＭのいずれも含まず、前記複数の第２の非ＭＰＭは、前記複数のＭＰＭおよび前記複数の第１のＭＰＭのいずれも含まない、前記複数の非ＭＰＭの非ＭＰＭリストを決定すること、
（ｉｉ）前記ビットストリームから、前記現在のブロックを予測するための前記イントラモードが、前記第１の非ＭＰＭまたは前記第２の非ＭＰＭに含まれるかどうかを示す非ＭＰＭフラグを導出すること、
（ｉｉｉ）前記複数の第１の非ＭＰＭまたは前記複数の第２の非ＭＰＭのうちの対応する１つのための前記ビットストリームから復号化された前記非ＭＰＭインデックスに基づいて、前記現在のブロックの前記イントラモードを選択すること、を含む、請求項２０に記載の動画データを復号化する方法。
【請求項２２】
前記非ＭＰＭのグループの総数は、２ビットである、請求項２０に記載の動画データを復号化する方法。
【請求項２３】
前記グループの選択は、前記ＭＰＭフラグおよび選択されたフラグに基づく、請求項２２に記載の動画データを復号化する方法。